(57)【要約】【課題】電極表面に付着しようとする気泡やスカム状汚泥を除去して効率的な電解処理が行えるようにした汚泥の電解処理装置を提供すること。【解決手段】有機性廃水の生物学的処理よって発生する余剰汚泥を電解処理することによって汚泥を殺菌処理する汚泥の電解処理装置において、電解槽１内に水流発生装置４を設置することにより水平方向の水流を水路１１内に発生させて、水流に並行するように設置した電極３間を流れる水流によって、電極面を洗浄するようにする。【選択図】図１
2006314942.tif 000002
【特許請求の範囲】
【請求項１】
有機性廃水の生物学的処理よって発生する余剰汚泥を電解処理することによって該汚泥を殺菌処理する汚泥の電解処理装置において、電解槽内に水流発生装置を設置することにより水平方向の水流を水路内に発生させて、水流に並行するように設置した電極間を流れる水流によって、電極面を洗浄するように構成したことを特徴とする汚泥の電解処理装置。
【請求項２】
電解槽内の水路を、終端を持たない循環水路形状としたことを特徴とする請求項１記載の汚泥の電解処理装置。
【請求項３】
電解槽内の水路を、水路長を長くした終端を有する形状としたことを特徴とする請求項１記載の汚泥の電解処理装置。
【請求項４】
電解処理によって発生する泡を消すための消泡装置を電解槽の水路内に配設したことを特徴とする請求項１、２又は３記載の汚泥の電解処理装置。
【発明の詳細な説明】
【技術分野】
【０００１】
本発明は、汚泥の電解処理装置に関し、特に、有機性廃水を活性汚泥微生物によって生物学的処理することで発生する余剰汚泥に対し、塩化物の塩水を添加し、電解処理することによって、汚泥を殺菌処理した後、水処理系に返送することで、再び活性汚泥微生物に分解させて汚泥を可溶化処理するようにした汚泥の電解処理装置に関するものである。
【背景技術】
【０００２】
従来、廃水中に含まれる有機性汚濁物を、活性汚泥微生物を用いて生物学的に分解することで発生する余剰汚泥は、一般的に濃縮、脱水及び焼却などの処理を経て、埋め立て処分されている。しかし、埋立地の不足などから、廃水処理施設から余剰汚泥を発生させない技術の開発が行われている。
その一つとして、汚泥減量化技術があり、これは生物反応槽において発生した余剰汚泥に対して物理的、化学的あるいは生物学的処理を施すことで、該汚泥中の微生物を死滅させた後、生物反応槽に返流して、該槽内に保持された活性汚泥微生物により炭酸ガスと水に分解させるものである。
【０００３】
ところで、汚泥を死滅させる方法として汚泥の電解処理方法が提案されている。これは、余剰汚泥に塩化物の塩水を添加し、電気分解することによって次亜塩素酸あるいは塩素分子を生成させ、その強力な酸化力を利用して汚泥を殺菌するものである。
【０００４】
しかしながら、汚泥を電気分解することによって、次亜塩素酸や塩素分子以外にも、水素ガスなどのガスが微細な気泡として発生するが、これらの微細気泡が汚泥を電気分解する電極の表面に付着し易く、また電極表面に付着した状態であると、塩化物イオンの電極との接触効率が悪くなり、次亜塩素酸や塩素ガスといった酸化剤の発生効率が悪くなり、結果的に汚泥の電解処理能力が低下するという問題があった。
【発明の開示】
【発明が解決しようとする課題】
【０００５】
本発明は、上記従来の汚泥の電解処理装置の有する問題点に鑑み、電極表面に付着しようとする気泡やスカム状汚泥を除去して効率的な電解処理が行えるようにした汚泥の電解処理装置を提供することを目的とする。
【課題を解決するための手段】
【０００６】
上記目的を達成するため、本発明の汚泥の電解処理装置は、有機性廃水の生物学的処理よって発生する余剰汚泥を電解処理することによって該汚泥を殺菌処理する汚泥の電解処理装置において、電解槽内に水流発生装置を設置することにより水平方向の水流を水路内に発生させて、水流に並行するように設置した電極間を流れる水流によって、電極面を洗浄するように構成したことを特徴とする。
【０００７】
この場合において、電解槽内の水路を、終端を持たない循環水路形状とすることができる。
【０００８】
また、電解槽内の水路を、水路長を長くした終端を有する形状とすることができる。
【０００９】
また、電解処理によって発生する泡を消すための消泡装置を電解槽内の水路内に配設することができる。
【発明の効果】
【００１０】
本発明の汚泥の電解処理装置によれば、有機性廃水の生物学的処理よって発生する余剰汚泥を電解処理することによって該汚泥を殺菌処理する汚泥の電解処理装置において、電解槽内に水流発生装置を設置することにより水平方向の水流を水路内に発生させて、水流に並行するように設置した電極間を流れる水流によって、電極面を洗浄するように構成することにより、水平方向の水流を水路内に発生させることにより、電解槽内に設置された電極の表面を常に洗浄するようになり、電解処理によって発生する微細気泡や、気泡を取込んだスカム状の汚泥を電極表面から洗浄し、除去することができるため、効率的な電解処理を行うことができる。
【００１１】
また、電解槽内の水路を、終端を持たない循環水路形状とすることにより、水路が無終端となり、殺菌処理する汚泥の水路内の滞留時間を十分確保することができるとともに、電極の洗浄も水流にて常に行われるので、汚泥の電解処理が効率的に行える。
【００１２】
また、電解槽内の水路を、水路長を長くした終端を有する形状とすることにより、十分な水路長を持たせることで、電極の洗浄に必要な水流を得るとともに、必要な滞留時間を得て効率的な電解処理を行うことができる。
【００１３】
また、電解処理によって発生する泡を消すための消泡装置を電解槽内の水路内に配設することにより、微細気泡が付着して浮上したスカム状汚泥を脱泡し、再び溶液中に分散させ、もって十分な殺菌効率を保持できることから、この汚泥を水処理系に返送することにより、安価なランニングコストで安定的に汚泥を減量化することができる。
【発明を実施するための最良の形態】
【００１４】
以下、本発明の汚泥の電解処理装置の実施の形態を、図面に基づいて説明する。
【実施例１】
【００１５】
図１〜図２に、本発明の汚泥の電解処理装置の一実施例を示す。
図１は、本発明による汚泥の電解処理装置の一実施例を示し、反応槽としての電解槽を、終端を持たず循環水路形状を有するものを使用した場合を示し、図２はその縦断面図である。
この電解槽１は、その内部長手方向に沿って隔壁２を配設することで、電解槽内を隔壁２によって循環水路１１を形成する形状になっており、水処理系において発生した余剰汚泥Ａに、塩化物の塩水Ｂと微量の酸Ｃが添加され、電解槽１に導かれ、該電解槽１内での電解処理がほどかされた後、電解槽１の槽壁部に配設した越流堰６から処理汚泥Ｄとして十分に殺菌された汚泥が系外に引き出されるように構成する。
【００１６】
また、電解槽内の循環水路１１には、複数の電極３と水流発生装置４及び消泡装置５が設置される。
この水流発生装置４としては、特に限定されるものではないが、例えば、水中ミキサーが採用され、また、消泡装置５としては、特に限定されるものではないが、例えば、インペラの回転で脱泡する表面攪拌機が採用される。
【００１７】
電極３は、特に限定されるものではないが、例えば、図示の実施例においては、循環水路１１の直路部に、その水路幅いっぱいに、かつ複数列、複数段にして並列して配設し、これにより全電極３の表面が循環水路１１内を流通する余剰汚泥Ａの混合水流と効率よく接触して電気分解されるようにする。
【００１８】
次に、本発明の汚泥の電解処理装置の作用について説明する。
有機性廃水を生物学的に処理することにより、水処理系において発生した余剰汚泥Ａに、適量の塩化物の塩水Ｂと微量の酸Ｃが添加されて電解槽１に導かれると、駆動される水流発生装置４にて所定の流速を有する攪拌水流が発生し、かつ循環水路１１内を循環するように流れる。この循環水路１１内にはこの水流と並行するようにして水路内いっぱいに電極３が並列配設されているため、この余剰汚泥の電極面と平行に水平方向の水流は電極３、３間を流下するものとなる。
【００１９】
このとき、電極３、３間には通電がなされているので、余剰汚泥の塩水中の塩化物イオンが電気分解され、次亜塩素酸や塩素分子などの酸化剤が発生するとともに、これらの酸化剤により、余剰汚泥Ａ中に含まれる微生物を殺菌することができる。
【００２０】
また、この場合、余剰汚泥水の電気分解によって、塩素分子すなわち塩素ガスとともに水素ガスの微細気泡が発生し、電極３の表面に付着したり、スカム状の汚泥となって、一部が水面上に浮上するなどの問題が生じ、次亜塩素酸などの酸化剤の発生効率を低下させたり、微生物の殺菌効率を低下させることがある。
これを防止するため、本発明では電解槽１内に設けた水流発生装置４によって、該電解槽内では、水路に沿って上部から水面下に浸漬させた電極３と電極の間を、水平方向に流れる水流が発生しており、これにより電極３の表面を常に洗い流すことができる。
このように、電気分解によって発生する微細気泡が電極３に付着することによって起こる酸化剤の発生効率を低下させる問題を解消することができる。
【００２１】
また、電解槽１内に設けた消泡装置５により、微細気泡によって浮上させられたスカム状の汚泥を脱泡して、再び溶液中に分散させることができ、汚泥中の微生物と溶液中の酸化剤との接触が促進され、もって十分な殺菌効率を得ることができる。
【００２２】
このようにして電解処理され、十分に殺菌された汚泥は、電解槽１に設けた越流堰６から処理汚泥Ｄとして系外に引き出される。なお、この処理汚泥Ｄは十分に殺菌されているため、水処理系に返送することで、活性汚泥微生物によって炭酸ガスと水に分解・処理することが可能である。
【００２３】
ところで、上記実施例は電解槽の水路を無終端の循環水路として汚泥の水路内の滞留時間を確保するようにしたが、図３の変形実施例に示すように、終端を有する水路とし、かつ水路長を必要とする滞留時間を確保し、十分な殺菌効率を得ることができるよう長くしたものにおいては、長い水路内に水流発生装置４、消泡装置５、さらには十分な水流を確保するための循環ポンプ７を設置するようにする。
これにより、図１〜図２に示す実施例と同じように、汚泥の処理に必要とする滞留時間を確保し、十分な殺菌効率を得ることが可能となる。
【００２４】
本発明による汚泥の電解処理装置では、水路内に水平方向の水流を発生させることにより、電解槽内に設置された電極の表面を洗浄することができるとともに、電解処理によって発生する微細気泡や、気泡を取込んだスカム状の汚泥を電極表面から洗浄し、除去することができるため、効率的で安定した電解処理を継続的に行うことができ、またこの汚泥を水処理系に返送することにより、安価なランニングコストで安定的に汚泥を減量化することができる。
また、添加した塩化物イオンが電気分解されることによって発生する次亜塩素酸や塩素分子などによる酸化力を利用して、余剰汚泥中の微生物を殺菌することができ、この際、十分な殺菌効率を得るためには、次亜塩素酸などの酸化剤と微生物の接触時間を十分とる必要があるが、本発明では、必要とする滞留時間をとるために、電解槽を終端を有しない循環水路形状、あるいは、終端を有するが十分に長い水路を有するようにすることで、必要とされる滞留時間を確保させることができる。
一方、電解処理によって発生する微細気泡は、汚泥固形物に付着してスカム状となり、スカム状汚泥の一部を水面上に浮上させ、浮上した汚泥固形物は、槽内のデッドスペース等に滞留したり、すぐに越流堰からオーバーフローするため、浮上した汚泥固形物中の微生物は、次亜塩素酸などの酸化剤とのさらなる接触がなされないため、十分な殺菌効果が得られなくなる。そこで、本発明では、電解槽内に消泡装置を設置することで、浮上した汚泥固形物を脱泡して、再び溶液中に分散せしめることで、殺菌効率を高めることができる。
【００２５】
以上、本発明の汚泥の電解処理装置について、実施例に基づいて説明したが、本発明は上記実施例に記載した構成に限定されるものではなく、その趣旨を逸脱しない範囲において適宜その構成を変更することができるものである。
【産業上の利用可能性】
【００２６】
本発明の汚泥の電解処理装置は、水路内に水平方向の水流を発生させることにより、電解槽内に設置された電極の表面を洗浄するとともに、電解処理によって発生する微細気泡や、気泡を取込んだスカム状の汚泥を電極表面から洗浄、除去して効率的で安定した電解処理を継続的に行うことができるという特性を有していることから、汚泥の電解処理の用途に好適に用いることができるほか、例えば、食品加工工場から排出される排水の処理の用途にも用いることができる。
【図面の簡単な説明】
【００２７】
【図１】本発明の汚泥の電解処理装置の第１実施例を示す平面図である。
【図２】同縦断面図である。
【図３】十分な長さの終端水路を有する電解槽を使用した実施例の平面図である。
【符号の説明】
【００２８】
１    電解槽
２    隔壁
３    電極
４    水流発生装置
５    消泡装置
６    越流壁
７    循環ポンプ
Ａ    余剰汚泥
Ｂ    塩化物
Ｃ    酸
Ｄ    処理汚泥
【図１】
2006314942.tif 000003
【図２】
2006314942.tif 000004
【図３】
2006314942.tif 000005